(57)【要約】【課題】従来よりも小型の発光装置を提供する。【解決手段】基板と、前記基板上に実装された複数の発光素子と、前記複数の発光素子を囲む第１樹脂と、前記第１樹脂に囲まれた領域を隔てる第２樹脂と、を備えた発光装置であって、前記基板は、前記第１樹脂の下側に凹部を有し、前記第２樹脂は、その終端部が、前記凹部内に収容され且つ前記第１樹脂に被覆されている。【選択図】図１
2014022406.tif 000002
【特許請求の範囲】
【請求項１】
基板と、前記基板上に実装された複数の発光素子と、前記複数の発光素子を囲む第１樹脂と、前記第１樹脂に囲まれた領域を隔てる第２樹脂と、を備えた発光装置であって、
前記基板は、前記第１樹脂の下側に凹部を有し、
前記第２樹脂は、その終端部が、前記凹部内に収容され且つ前記第１樹脂に被覆されている、
ことを特徴とする発光装置。
【請求項２】
前記第１樹脂は光反射性樹脂であり、前記第２樹脂は透光性樹脂である、ことを特徴とする請求項１に記載の発光装置。
【請求項３】
前記複数の発光素子の一部は、前記第２樹脂によって被覆される、ことを特徴とする請求項２に記載の発光装置。
【請求項４】
前記凹部は、その内面に突起を有する、ことを特徴とする請求項１〜請求項３のいずれか１項に記載の発光装置。
【請求項５】
前記第１樹脂に囲まれた領域は、前記第２樹脂によって隔てられた第１領域と第２領域とを有し、
前記第１領域に実装された発光素子は、第１蛍光体を含有する第１封止部材によって封止され、
前記第２領域に実装された発光素子は、第２蛍光体を含有する第２封止部材によって封止される、
ことを特徴とする請求項１〜請求項４のいずれか１項に記載の発光装置。
【発明の詳細な説明】
【技術分野】
【０００１】
本発明は、発光装置に関する。
【背景技術】
【０００２】
従来、基板上に樹脂性枠を環状に設け、この樹脂性枠に囲まれた部分を樹脂性隔壁で２個以上の区域に仕切り、各区域に発光部をそれぞれ形成した発光装置が提案された（特許文献１参照）。
【先行技術文献】
【特許文献】
【０００３】
【特許文献１】特開２０１２−４５１９号公報
【発明の概要】
【発明が解決しようとする課題】
【０００４】
しかしながら、従来の発光装置は、まだまだ大型である。
【０００５】
そこで、本発明は、従来よりも小型の発光装置を提供することを目的とする。
【課題を解決するための手段】
【０００６】
本発明によれば、上記課題は、次の手段により解決される。すなわち、基板と、前記基板上に実装された複数の発光素子と、前記複数の発光素子を囲む第１樹脂と、前記第１樹脂に囲まれた領域を隔てる第２樹脂と、を備えた発光装置であって、前記基板は、前記第１樹脂の下側に凹部を有し、前記第２樹脂は、その終端部が、前記凹部内に収容され且つ前記第１樹脂に被覆されている、ことを特徴とする発光装置である。
【図面の簡単な説明】
【０００７】
【図１】本発明の実施形態に係る発光装置の概略斜視図である。
【図２】本発明の実施形態に係る第１樹脂と第２樹脂との形成方法を説明する図である。
【図３】本発明の実施形態に係る発光装置と比較例に係る発光装置とを比較する図である。
【発明を実施するための形態】
【０００８】
以下に、添付した図面を参照しつつ、本発明を実施するための形態について説明する。
【０００９】
図１は、本発明の実施形態に係る発光装置の概略斜視図である。
【００１０】
図１に示すように、本発明の実施形態に係る発光装置１０は、基板２０と、基板２０上に実装された複数の発光素子３０と（発光素子３０は、第１封止部材７０及び第２封止部材８０によって被覆されているため、図１中には現れていない。）、複数の発光素子３０を囲む第１樹脂４０と、第１樹脂４０に囲まれた領域を隔てる第２樹脂５０と、複数の発光素子３０を被覆する第１封止部材７０及び第２封止部材８０と、基板２０上に設けられた複数の発光素子３０に接続される配線パターン９０と、を備えている。第２樹脂５０の終端部は、第１樹脂４０に被覆されている。
【００１１】
ここで、基板２０は、第１樹脂４０の下側に凹部６０を有しており、第２樹脂５０の終端部は、凹部６０内に収容されている。その理由は、次のとおりである。
【００１２】
すなわち、一般に樹脂を塗布する場合には、ノズルから樹脂を吐出してこれを基板上に塗布することになる。しかしながら、樹脂は、一定の粘性を有するため、これを所定の位置に塗布し終えても、ノズルから直ちに切り離すことができない。このため、基板には余分な樹脂が付着してしまい、その分だけ、基板上の領域が無駄に使用されてしまう。
【００１３】
そこで、本発明の実施形態に係る発光装置１０では、基板２０が第１樹脂４０の下側に凹部６０を有するものとした。このようにすれば、ノズルからの第２樹脂の吐出を止めた後で、第２樹脂５０の終端部を凹部６０内に収容させることができる（第２樹脂５０の終端部は、凹部６０の内面に付着する。）。
【００１４】
したがって、従来であれば基板２０上に長々と付着していた余分な樹脂を凹部６０内に収容することが可能となるため、基板２０を小型化して従来よりも小型の発光装置を提供することができる。なお、第２樹脂５０の終端部は、凹部６０内に収容されている限り、その一部（例えば、最先端部分）が凹部６０内からはみ出していてもよい。
【００１５】
以下、各部材の構成について詳細に説明する。
【００１６】
［基板］
基板２０には、例えば、セラミックス（Ａｌ２Ｏ３、ＡｌＮ等）、あるいはフェノール樹脂、エポキシ樹脂、ポリイミド樹脂、ＢＴ樹脂（ｂｉｓｍａｌｅｉｍｉｄｅ  ｔｒｉａｚｉｎｅ  ｒｅｓｉｎ）、ポリフタルアミド（ＰＰＡ）樹脂などを用いることができる。
【００１７】
基板２０が有する凹部６０の形状は、特に限定されるものではないが、凹部６０は、その内面（例えば凹部６０の底面）に突起（図示せず）を有することが好ましい。このようにすれば、突起による抵抗により、第２樹脂５０の終端部をより確実に凹部６０内に付着させることができるため、第１樹脂４０の樹脂幅をさらに小さくすることができる。また、凹部６０は、第２樹脂の終端部に対応する領域のみに設けることができる。上方からみた凹部６０の外縁は、ノズルの外縁よりも大きければよく、その形状としては例えば四角形とすることができる。また、凹部の深さとしては、基板２０の強度と第２樹脂の収容量とを考慮して、基板２０の全体の厚さの２０％以上８０％以下、好ましくは３０％以上７０％以下、さらに好ましくは４０％以上６０％以下とすることができる。
【００１８】
［第１樹脂、第２樹脂］
第１樹脂４０は、複数の発光素子３０を囲む樹脂であり、第２樹脂５０は、第１樹脂４０に囲まれた領域を隔てる樹脂である。
【００１９】
第１樹脂４０には、例えば、ＴｉＯ２、Ａｌ２Ｏ３、ＺｒＯ２、ＭｇＯなどの反射部材を含有したフェノール樹脂、エポキシ樹脂、ＢＴ樹脂、ＰＰＡ樹脂、またはシリコン樹脂などの光反射性樹脂を用いることができる。
【００２０】
第２樹脂５０には、例えば、シリコン樹脂、エポキシ樹脂、またはユリア樹脂などの光反射性樹脂や透光性樹脂を用いることができる。
【００２１】
第２樹脂５０に透光性樹脂を用いる場合には、第２樹脂５０の終端部から光が漏れないよう、第１樹脂４０に光反射性樹脂を用いてこれにより第２樹脂５０の終端部を十分に被覆する必要がある。特に、透光性樹脂からなる第２樹脂５０で複数の発光素子３０の一部が被覆される場合は、発光素子３０からの光が第２樹脂５０内を伝わり易く、第２樹脂５０の終端部が露出していると、駆動時において、そこから光が漏れて見た目を損ねてしまう。しかし、本発明の実施形態に係る発光装置１０によれば、従来よりも樹脂幅が小さい第１樹脂４０であるにも関わらず、第２樹脂５０の終端部を十分に被覆することが可能になるので、見た目にも優れた発光装置１０とすることができる。
【００２２】
なお、第２樹脂５０には、着色剤、光拡散剤などを含有させてもよい。また、第２樹脂５０に透光性樹脂を用いれば、第２樹脂５０において、複数の領域（後述する第１領域２０ａ、第２領域２０ｂ、第３領域２０ｃ、及び第４領域２０ｄ）の光を混色させることもできる。
【００２３】
第１樹脂４０に囲まれた領域は、第２樹脂５０によって隔てられた第１領域２０ａ、第２領域２０ｂ、第３領域２０ｃ、及び第４領域２０ｄを有している。なお、本発明の実施形態では、第１樹脂４０で囲まれた領域の形状を円形としているが、四角形、六角形、八角形などの多角形とすることもできる。また、第１樹脂４０に囲まれた領域が第２樹脂５０により４つの領域に隔てられる形態について説明するが、第１樹脂４０に囲まれた領域は、第２樹脂５０により、２つの領域や３つの領域に隔てることもでき、また５つ以上の領域に隔てることもできる。
【００２４】
［発光素子］
発光素子３０は、第１領域２０ａ、第２領域２０ｂ、第３領域２０ｃ、第４領域２０ｄ、及びこれらの領域間に生じた間隙（第２樹脂５０が設けられた領域）に実装されている。発光素子３０には、例えば、青色、青緑色、緑色、赤色などの光を発する各種発光ダイオードを用いることができる。
【００２５】
本発明の実施形態では、第１領域２０ａ〜第４領域２０ｄに実装された発光素子３０に青色の光を発する発光素子を用い、各領域間に生じた間隙（第２樹脂５０が設けられた領域）に実装された発光素子３０には青緑色の光を発する発光素子を用いている。
【００２６】
第１領域２０ａ及び第３領域２０ｃに実装された発光素子３０は第１封止部材７０に含まれる第１蛍光体（図示せず）を励起するためのものであり、第２領域２０ｂ及び第４領域２０ｄに実装された発光素子３０は第２封止部材８０に含まれる第２蛍光体（図示せず）を励起するためのものである。また、各領域間に生じた間隙（第２樹脂５０が設けられた領域）に実装された発光素子３０は演色性をさらに向上させるためのものである。
【００２７】
なお、上記は一例であって、どの領域に何色の光を発する発光素子を実装するかは、発光装置全体としての輝度や演色性などを総合的に考慮して決めればよい。
【００２８】
［蛍光体、封止部材］
第１領域２０ａ及び第３領域２０ｃに実装された発光素子３０は、第１蛍光体（図示せず）を含有する第１封止部材７０によって封止され、第２領域２０ｂ及び第４領域２０ｄに実装された発光素子３０は、第２蛍光体（図示せず）を含有する第２封止部材８０によって封止される。
【００２９】
なお、例えば、第１蛍光体（図示せず）としては黄色に発光するＹＡＧ系蛍光体を用い、第２蛍光体（図示せず）としては赤色に発光するＣＡＳＮ系蛍光体を用いることができる。このようにすれば、一領域に発光色の異なる複数の蛍光体を混在しないため、蛍光体の二重励起が抑制され、輝度の高い発光装置を提供することが可能となる。また、発光装置全体として発光色の異なる２種の蛍光体（黄色と赤色）を用いているので、一定以上の演色性を得ることができる発光装置を提供することができる。
【００３０】
第１封止部材７０や第２封止部材８０の封止部材には、シリコン樹脂、エポキシ樹脂、またはユリア樹脂などを用いることができる。なお、これらの封止部材には、着色剤、光拡散剤などを含有させてもよい。また、第１封止部材７０と第２封止部材８０とには、異なる種類の封止部材を用いてもよい。
【００３１】
［配線パターン］
配線パターン９０としては、Ａｕなどを用いることができる。
【００３２】
［製造方法］
図２は、本発明の実施形態に係る第１樹脂と第２樹脂との形成方法を説明する図である。
【００３３】
（第１工程）
まず、図２（１）で示すように、第２樹脂５０を吐出するノズル１００を、第１樹脂４０で囲まれる予定の領域の内側から外側に向かって、基板２０から一定の距離を保ちつつ移動させる。これにより、第２樹脂５０が第１樹脂４０で囲まれる予定の領域の内側から外側に向かって塗布される。
【００３４】
（第２工程）
次に、図２（２）で示すように、ノズル１００からの第２樹脂５０の吐出を凹部６０の上方で止める。
【００３５】
（第３工程）
次に、図２（３）、（４）、（５）で示すように、余分な第２樹脂５０を凹部６０内に収容せしめ（余分な第２樹脂５０は、凹部６０の内面に付着する。）、第２樹脂５０をノズル１００から切り離す。この際、第２樹脂５０が凹部６０内に付着しやすいように、ノズルを一旦凹部底面付近まで降下させることが好ましい。なお、凹部６０の外側の側面が傾斜面６１を有するものとすれば、基板２０に反りなどが生じてノズル１００が凹部６０の側面に接触した場合においても、ノズル１００の変形や破損などを緩和することができる。
【００３６】
（第４工程）
そして、第１工程から第３工程を繰り返すことによって複数の第２樹脂５０を基板２０上に塗布した後（この際、複数の第２樹脂５０の始端部は繋げる。）、図２（６）で示すように、第１樹脂４０を基板２０上に塗布して、第１樹脂４０により第２樹脂５０の終端部を被覆する。
【００３７】
［比較］
図３は、本発明の実施形態に係る発光装置と比較例に係る発光装置とを比較する図であり、図３（ａ）は本発明の実施形態に係る発光装置を示し、図３（ｂ）は比較例に係る発光装置を示す。
【００３８】
図３で示すように、本発明の実施形態に係る発光装置（ａ）では、第２樹脂５０の終端部が凹部６０内に収容されているのに対し、比較例に係る発光装置（ｂ）では、第２樹脂５０の終端部が基板２０上に長々と付着されている。
【００３９】
本発明の実施形態に係る発光装置（ａ）によれば、比較例に係る発光装置（ｂ）において余分な樹脂が長々と付着している領域Ｓを削減することができるため、基板２０を小型化して小型の発光装置を提供することができる。
【００４０】
以上、本発明の実施形態について説明したが、これらの説明は、本発明の一例に関するものであり、本発明は、これらの説明によって何ら限定されるものではない。
【符号の説明】
【００４１】
１０    発光装置
２０    基板
２０ａ  第１領域
２０ｂ  第２領域
２０ｃ  第３領域
２０ｄ  第４領域
３０    発光素子
４０    第１樹脂
５０    第２樹脂
６０    凹部
６１    傾斜面
７０    第１封止部材
８０    第２封止部材
９０    配線パターン
１００  ノズル
【図１】
2014022406.tif 000003
【図２】
2014022406.tif 000004
【図３】
2014022406.tif 000005